(57)【特許請求の範囲】
【請求項１】
電極部への動作電圧により動作し空気中の塵や埃を取り除く電気集塵機と、
電極部への動作電圧により動作し空気中にマイナスイオンを発するマイナスイオン発生器と、
１次巻線および２次巻線を有するトランス、前記１次巻線を構成要素として直流電圧をスイッチングにより交流電圧に変換するスイッチング回路、前記１次巻線に接続された異常検出回路、前記２次巻線に生じる電圧を整流する第１の整流回路、前記２次巻線に生じる電圧を整流する第２の整流回路、を備えた共通電源ユニットと、
前記共通電源ユニットと、直流電圧を出力する電源ライン、前記異常検出回路の異常信号を伝達する異常信号ライン、前記スイッチング回路を励起する制御信号ラインにより接続したコントロール用制御器と、を具備し、
前記コントロール用制御器の制御信号により、
前記第１の整流回路で整流された電圧を前記電気集塵機に対する動作電圧として出力すると共に、
前記共通電源ユニットの第２の整流回路で整流された電圧を前記マイナスイオン発生器に対する動作電圧として出力する
ことを特徴とする電気集塵機およびマイナスイオン発生器を備えた装置。
【発明の詳細な説明】
【０００１】
【発明の属する技術分野】
この発明は、電気集塵機およびマイナスイオン発生器を備えた装置に関する。
【０００２】
【従来の技術】
空気中の塵や埃を取り除く電気集塵機を備えるとともに、空気中にマイナスイオンを発するマイナスイオン発生器を備えた装置たとえば空気調和機がある。
【０００３】
この装置には、電気集塵機用の動作電圧を出力する電源部が搭載されるとともに、マイナスイオン発生器用の動作電圧を出力する電源部が搭載される。すなわち、図３に示すように、コントロール用制御器１に電気集塵機電源部２およびマイナスイオン発生器電源部４が接続されている。
【０００４】
電気集塵機電源部２は、電気集塵機３の電極部に対する動作電圧を出力する。この動作電圧により電気集塵機３が動作し、空気中の塵や埃が取り除かれる。
【０００５】
マイナスイオン駆動部４は、マイナスイオン発生器５の電極部に対する動作電圧を出力する。この動作電圧によりマイナスイオン発生器５が動作し、空気中にマイナスイオンが放出される。このマイナスイオンは人体の健康改善に有効である。
【０００６】
【発明が解決しようとする課題】
上記のように、電気集塵機３およびマイナスイオン発生器５を備えた装置では、２つの電源部２，４を搭載するスペースが必要であり、このため装置形状の小型化に制限が生じてしまう。コントロール制御器１と各電源部２，４との間の配線数が多くなって、組立工程が複雑になるという問題もある。
【０００７】
この発明は上記の事情を考慮したもので、その目的とするところは、搭載スペースを減少できて装置形状の小型化、配線数の削減、および組立工程の簡略化などが図れる電気集塵機およびマイナスイオン発生器を備えた装置を提供することにある。
【０００８】
【課題を解決するための手段】
請求項１に係る発明の電気集塵機およびマイナスイオン発生器を備えた装置は、電極部への動作電圧により動作し空気中の塵や埃を取り除く電気集塵機と、電極部への動作電圧により動作し空気中にマイナスイオンを発するマイナスイオン発生器と、１次巻線および２次巻線を有するトランス、前記１次巻線を構成要素として直流電圧をスイッチングにより交流電圧に変換するスイッチング回路、前記１次巻線に接続された異常検出回路、前記２次巻線に生じる電圧を整流する第１の整流回路、前記２次巻線に生じる電圧を整流する第２の整流回路、を備えた共通電源ユニットと、前記共通電源ユニットと、直流電圧を出力する電源ライン、前記異常検出回路の異常信号を伝達する異常信号ライン、前記スイッチング回路を励起する制御信号ラインにより接続したコントロール用制御器と、を具備している。そして、前記コントロール用制御器の制御信号により、前記第１の整流回路で整流された電圧を前記電気集塵機に対する動作電圧として出力すると共に、前記共通電源ユニットの第２の整流回路で整流された電圧を前記マイナスイオン発生器に対する動作電圧として出力する。
【００１２】
【発明の実施の形態】
以下、この発明の一実施形態について図面を参照して説明する。なお、図面において図３と同一部分には同一符号を付している。
【００１３】
図１に示すように、コントロール制御器１に直流電源ラインL１，Ｌ２、制御信号ラインL３、および異常信号ラインL４を介して共通電源ユニット１０が接続されている。
【００１４】
コントロール制御器１は、直流電圧を直流電源ラインL１，Ｌ２間に出力するとともに、スイッチング回路励起用の信号を制御信号ラインL３に出力する。
【００１５】
共通電源ユニット１０は、１次巻線１１ａ，１１ｂおよび２次巻線１１ｃを有する昇圧用のトランス１１と、このトランス１１の１次巻線１１ａを構成要素として上記直流電源ラインＬ１，Ｌ２間の直流電圧を交流電圧に変換するスイッチング回路と、このスイッチング回路の出力に基づいて２次巻線１１ｃ（一端と中間タップｔとの間）に生じる電圧をダイオード１３および平滑用コンデンサ１４により整流する第１の整流回路と、２次巻線１１ｃ（中間タップｔと他端との間）に生じる電圧をダイオード１７および平滑用コンデンサ１８により整流する第２の整流回路と、１次巻線１１ｂに接続された異常検出回路１９とを備えている。
【００１６】
スイッチング回路は、１次巻線１１ａのほかに、共振用コンデンサ（図示しない）およびスイッチング用トランジスタ１２を構成要素としており、制御信号ラインＬ３からの信号に応じてトランジスタ１２をオン，オフ動作させることにより、直流電源ラインL１，Ｌ２間の直流電圧を所定周波数の交流電圧に変換する。
【００１７】
第１の整流回路で整流された電圧は、そのままのレベルの動作電圧として電気集塵機電極部３に供給されるとともに、抵抗器１５，１６により分圧された所定レベルの動作電圧として同電気集塵機電極部３に供給される。
【００１８】
第２の整流回路で整流された電圧は、動作電圧としてマイナスイオン発生器５に供給される。
【００１９】
異常検出回路１９は、トランス１１を介して電気集塵機３およびマイナスイオン発生器５の異常を検出する。この検出結果は、異常信号ラインL４を介してコントロール制御器１に伝達される。
【００２０】
このような構成によれば、電気集塵機３およびマイナスイオン発生器５を共通の１つの共通電源ユニット１０によって駆動することができる。この共通電源ユニット１０の搭載スペースは、従来のように２つの電源部を搭載する場合に比べ、大幅に減少する。したがって、装置形状の小型化が図れる。しかも、コントロール制御器１と共通電源ユニット１０との間の配線数は、従来のように２つの電源部を搭載する場合に比べ、大幅に減少する。これは組立工程の簡略化につながるとともに、コストの低減にもつながる。
【００２１】
電気集塵機３およびマイナスイオン発生器５の異常を共通の１つの異常検出回路１９によって検出するので、この点でもコストの低減が図れる。
【００２２】
なお、図２に示すように、トランス１１にもう１つの２次巻線１１ｄを設け、第１の整流回路を２次巻線１１ｃに接続し、第２の整流回路を２次巻線１１ｄに接続する構成としてもよく、マイナスイオン発生器５と電気集塵機３のいずれか一方だけを使用する場合に他方の電源回路を取り外せるよう構成してもよい。
【００２３】
その他、この発明は上記実施形態に限定されるものではなく、要旨を変えない範囲で種々変形実施可能である。
【００２４】
【発明の効果】
以上述べたようにこの発明によれば、搭載スペースを減少できて装置形状の小型化、配線数の削減、および組立工程の簡略化などが図れる電気集塵機およびマイナスイオン発生器を備えた装置を提供できる。
【図面の簡単な説明】
【図１】一実施形態の構成を示すブロック図。
【図２】一実施形態の変形例の構成を示すブロック図。
【図３】従来の構成を示すブロック図。
【符号の説明】
１…コントロール制御器、３…電気集塵機、５…マイナスイオン発生器、１０…共通電源ユニット、１１…トランス、１２…スイッチング用トランジスタ、１３，１７…コンデンサ、１４，１８…平滑用コンデンサ、１９…異常検出回路
【図１】
0004253103.tif 000002
【図２】
0004253103.tif 000003
【図３】
0004253103.tif 000004